(57)【要約】    動力回収タービンは、既存のプラントのボトルネックを解消するのに使用することができ、並びにプラントを改造するときに電力を回収する。石油、石油化学、又は化学プラントにおいてエネルギーを回収するためのプロセスが記載されている。第１の制御弁を上に有する流体ストリームが識別される。第１の動力回収タービンが、第１の制御弁の位置に設置され、第１の流体ストリームの少なくとも一部分が、第１の動力回収タービンを通して方向付けられて、そこから直流電流として電力を生成する。次いで、電力が回収される。  【選択図】図１
2021516741.tif 000002
【特許請求の範囲】
【請求項１】
石油、石油化学、又は化学プラントにおいてエネルギーを回収するためのプロセスであって、
プロセスゾーンにおいて第１の制御弁（４３０）を上に有する第１の流体ストリームを識別することと、
前記第１の制御弁（４３０）の位置に第１の動力回収タービン（４１０）を設置することと、
前記第１の流体ストリームの少なくとも一部分を前記第１の動力回収タービン（４１０）を通して方向付けて、そこから電力を生成することと、
前記電力を回収することと、を含む、プロセス。
【請求項２】
前記第１の動力回収タービン（４１０）が、前記第１の制御弁（４３０）と並列に、又は第１の制御弁（２２０）と直列に設置されている、請求項１に記載のプロセス。
【請求項３】
前記第１の制御弁（４３０）が、通常動作において前記プロセスから分離されている、請求項１〜２のいずれか一項に記載のプロセス。
【請求項４】
前記動力回収タービン（４１０）が、漏れ及び漏えい排出を起こしやすい活性グランドがない状態で封止されている、請求項１〜２のいずれか一項に記載のプロセス。
【請求項５】
前記第１の動力回収タービン（４１０）の設置が、前記制御弁（４３０）のみを有する前記第１の流体ストリームと比較して、前記第１の流体ストリームのより低い温度をもたらし、
前記より低い温度が、前記動力回収タービン発電機なしでの動作と比較して、前記プラントの一部分の冷却を増加させることによって前記プラントスループットのボトルネックを解消する、請求項１〜２のいずれか一項に記載のプロセス。
【請求項６】
前記回収された電力を直流電流に整流し、前記直流電流を回収された交流電流に逆変換することと、
前記回収された交流電流を第１のサブステーションに供給することと、を更に含む、請求項１〜２のいずれか一項に記載のプロセス。
【請求項７】
第２の制御弁（４３５）を上に有する第２の流体ストリームを識別することと、
前記第２の制御弁（４３５）の位置に第２動力回収タービン（４１５）を設置することと、
前記第２の流体ストリームの少なくとも一部分を前記第２の動力回収タービン（４１５）を通して方向付けて、そこから直流電流として電力を生成することと、
前記第１の動力回収タービン（４１０）からの前記直流電流を、前記第２の動力回収タービン発電機（４１５）からの前記直流電流と組み合わせることと、を更に含む、請求項１〜２のいずれか一項に記載のプロセス。
【請求項８】
前記回収された直流電流を、前記プラント内のひとつの機器に供給することを更に含む、請求項１〜２のいずれか一項に記載のプロセス。
【請求項９】
複数の圧力低減デバイスからの情報を受信することであって、前記複数の圧力低減デバイスが、前記第１の動力回収タービン、前記第１の制御弁、又はその両方、を備える、受信することと、
前記圧力低減デバイスの各々に対する動力損失値又は動力生成値を決定することと、
前記圧力低減デバイスの各々からの前記動力損失値又は前記動力生成値に基づいて、総動力損失値又は総動力生成値を決定することと、
前記総動力損失値又は前記総動力生成値を少なくとも１つの表示画面上に表示することと、を更に含む、請求項１〜２のいずれか一項に記載のプロセス。
【請求項１０】
前記総動力損失値又は前記総動力生成値に基づいて、前記プロセスゾーンにおける少なくとも１つのプロセスパラメータを調整することを更に含む、請求項９に記載のプロセス。
【発明の詳細な説明】
【背景技術】
【０００１】
機械的駆動部（ポンプ及び圧縮機）における動力消費の最小化は、エネルギーの追加を最小限に抑えることができる領域を探して、新たなユニット設計ステップ中に必要な動力及び熱入力を詳細に評価することによって行うことができる。しかしながら、機器の数を最小限に抑えることによって資本を節約する必要があるため、圧縮機及びポンプは、多くの場合、プロセスストリームが圧縮機又はポンプで単一の高圧ヘッダーまで圧縮又は加圧されるためにサイズが大きくなり過ぎ、次いで、最小限の資本設計に起因する固有のエネルギー非効率を明らかにする非常に低い圧力のサービスへの著しい圧力低下を有するいくつかの下流分枝へ下流で多岐管化される。多岐管化が存在しない状況であっても、従来の流れ制御は、必然的にエネルギーを散逸させ、後で潜在的なエネルギー回収のポイントとなり得るドライバの下流の制御弁を含む。
【０００２】
既存のプロセスが改造されている場合、大型ドライバ及び制御弁の資本コストは既に費やされており、資本節約の機会が存在しない。その結果、機器を変更してエネルギーを節約し、プロセスを改造するために必要なダウンタイムをとるという選択肢は、多くの場合、省エネルギープロジェクトに対して投資回収率が悪いという結果をもたらす。
【０００３】
したがって、既存の機器を利用しながらコスト効率の高い動力回収タービンを使用して既存のプロセスを改善する方法が必要とされている。
【図面の簡単な説明】
【０００４】
【図１】プロセス例の図解である。
【図２】本発明の改造されたプロセスの一実施形態の図解である。
【図３】本発明の改造されたプロセスの別の実施形態の図解である。
【発明を実施するための形態】
【０００５】
エネルギーを節約するだけでなく、既存のプラントのボトルネック解消ももたらす動力回収タービンの追加は、資本最小化及び完了速度が主要な目標である新たな設備よりも改造の機会をはるかに魅力的にすることができる。
【０００６】
プロセスにおける流体ストリームが動力回収タービン発電機を通過するとき、流体ストリームの出口温度は、制御弁のみを通過する流体ストリームからのものよりも低い。特定の流体ストリームのために利用可能な冷却の量によって制限されるプロセスの場合、出口ストリームのより低い温度は、プロセスの増大したスループットを可能にすることができる。この増大したスループットは、タービン発電機からの動力回収に加えて、著しい利益を提供する。増大したスループットと動力回収との組み合わせは、設備投資の経済的な正当性を改善する。
【０００７】
本発明の一態様は、石油、石油化学、又は化学プラントにおいてエネルギーを回収するためのプロセスである。一実施形態では、プロセスは、プロセスゾーンにおいて第１の制御弁を上に有する第１の流体ストリームを識別することと、第１の制御弁の位置に第１の動力回収タービンを設置することと、第１の流体ストリームの少なくとも一部分を第１の動力回収タービンを通して方向付けて、そこから直流電流として電力を生成することと、電力を回収することと、を含む。
【０００８】
いくつかの実施形態では、第１の動力回収タービンは、第１の制御弁と並列に設置される。いくつかの実施形態では、第１の動力回収タービンは、第１の制御弁と直列に設置される。いくつかの実施形態では、第１の動力回収タービンは、第１の制御弁に取って代わる。
【０００９】
いくつかの実施形態では、第１の制御弁は、プロセス流体が弁ステムの活性パッキングに接触することを避けるために、通常動作においてプロセスから分離されている。これは、典型的には、制御弁の両側にあるゲート弁を閉じることによって行うことができる。本発明は既存のプロセスユニットに改造又は修正を伴うため、制御弁及び分離ゲート弁は、典型的には既に存在しており、タービンに現在の「バックアップ」制御弁を含めることは、改造中の追加のコストを伴わない。
【００１０】
いくつかの実施形態では、動力回収タービンは、漏れ及び漏えい排出を起こしやすい活性グランドがない状態で封止されている。この種のタービンデバイスは、１２５ｋＷ  ＡＭＢ  Ｅｘｐａｎｄｅｒ／Ｇｅｎｅｒａｔｏｒ  ｆｏｒ  Ｗａｓｔｅ  Ｈｅａｔ  Ｒｅｃｏｖｅｒｙ，Ｒｅｆｅｒｅｎｃｅ：Ｊｏｕｒｎａｌ  ｏｆ  Ｅｎｇｉｎｅｅｒｉｎｇ  ｆｏｒ  Ｇａｓ  Ｔｕｒｂｉｎｅｓ  ａｎｄ  Ｐｏｗｅｒ，Ｊｕｌｙ  ２０１１，Ｖｏｌ  １３３，Ｐａｇｅｓ  ０７２５０３−１〜０７２５０３−６の開発に記載されている。
【００１１】
いくつかの実施形態では、第１の流体ストリームがガスである場合、第１の動力回収タービンの設置は、制御弁のみを有する第１の流体ストリームと比較して、第１の流体ストリームのより低い温度をもたらし、かつ、より低い温度は、動力回収タービン発電機なしでの動作と比較して、プラントの一部分の冷却を増加させることによってプラントスループットのボトルネックを解消する。冷却の増加は、タービンが、制御弁よりも第１の流体ストリームからより多くのエネルギーを抽出するために発生する。タービンは、タービンを駆動するための機械的及び熱エネルギーの損失を伴う等エントロピー膨張を近似する。これは、システムからエネルギーを抽出又は熱が伝達されることなく圧力降下が行われる弁を通じた断熱性で高度に不可逆的な膨張と比較される。タービンからのより低い温度は、例えば、より高い出口温度をもたらす弁のケースよりも少ないガスで反応器床を冷却することによって、より大きなスループットを可能にすることができる。このより低いガス流要件により、ガスの圧縮セクションにおけるエネルギー節約、又は代わりに、より低温のガス急冷ストリームにより温度制限がいくらか緩和されるため、高温により制限される反応器への炭化水素供給量を増加させることができる、のいずれかが可能になる。多くの発熱反応器床は、典型的には、望ましくない反応は、一旦開始すると、壊滅的に急速に温度を上昇させ始め得るので、熱放出の自動伝播の可能性を回避するために高温限界を有する。いくつかの実施形態では、プラントの一部分は反応ゾーン内にある。
【００１２】
いくつかの実施形態では、プロセスは、回収された電力を直流電流に整流し、電力を回収された交流電流に逆変換することと、回収された交流電流を第１のサブステーションに供給することと、を更に含む。
【００１３】
プロセスのサブステーションは、三相、低電圧（例えば、＜６００ＶＡＣ）電力グリッドなどの、プロセスユニットサービスのグループへの配電専用の電気エリアである。典型的には、製油所、若しくは石油化学又は化学プラント内にいくつかのプロセス及びユーティリティのサブステーションが存在し、主配電システムが位置する１つの主サブステーションが存在する。プロセスサブステーションは、変圧器、電気建築物、異なる電圧レベルの開閉装置、モータ制御センター（ＭＣＣ）、及び単相配電盤から構成される。大部分のプロセスサブステーションは、非常に大きなｋＷの電気負荷に対応し、それの一部は低電圧（例えば、＜６００Ｖ）であり、その一部は中電圧（より大型モータのための、例えば、＞２５０ＨＰ）である。その結果、典型的なプロセスサブステーションは、中電圧バス及び低電圧バスの両方を有する。
【００１４】
いくつかの実施形態では、電力が回収されると、インバータの出力は、プロセスサブステーションの低電圧配電システムに接続することができ、又は、十分に大きな量の電力が回収された場合には、プロセスサブステーションの中電圧配電システムに昇圧され得る。昇圧電圧を有する大きな量の回収された電力はまた、他のプロセスサブステーション又は主サブステーション内の中電圧システムに接続することもできる（中電圧は一般的に電圧降下を減らすために使用される）。しかしながら、これは、変圧、開閉装置、ケーブル配線などの追加コストを招き、追加の機器のためにかなりの不動産を必要とする。
【００１５】
いくつかの実施形態では、サブステーションは、少なくとも１つの交流電流バスを含み、ＤＣ／ＡＣインバータの出力は、サブステーション内の低電圧（例えば、＜６００ＶＡＣ）バスなどの少なくとも１つの交流電流バスに電気的に接続される。
【００１６】
いくつかの実施形態では、サブステーションは、少なくとも１つの交流電流バスを備え、ＤＣ／ＡＣインバータの出力は、中電圧に電気的に変圧され、次いで、プロセスサブステーション内の中電圧（例えば、５ｋＶＡＣ又は１５ｋＶＡＣクラス）バスに接続される。
【００１７】
いくつかの実施形態では、第２のサブステーションがあり、第１のサブステーションの出力は第２のサブステーションに電気的に接続されている。いくつかの実施形態では、第２のサブステーションは、第１のサブステーションの電圧よりも高い電圧を有し、ＤＣ／ＡＣインバータの電圧を、中電圧などの第２のサブステーションのより高い電圧に昇圧するための昇圧変圧器が存在する。
【００１８】
いくつかの実施形態では、第１のサブステーションは、少なくとも２つの石油、石油化学、又は化学プロセスゾーンに電気的に接続される。いくつかの実施形態では、第１のサブステーションの出力は、少なくとも２つのプロセスゾーン内の１つの機器に電気的に接続される。
【００１９】
いくつかの実施形態では、電力は、ガイド翼又は電力生成回路上の可変負荷のいずれかによって可能になる流れに対する可変抵抗を有する動力回収タービンを介して生成される。タービンから発せられる電力はＤＣであり、単一のラインに組み合わされ、電力グリッドと同期して同じ電圧でＤＣ電力をＡＣに変換するインバータに送られ得る。動力回収タービンはＤＣ出力を生成するので、変動して可変の回転速度を個別に有し得る動力回収タービンを制御するために、周波数、回転速度などを同期させることを心配せずに、それらの電流が組み合わされることを可能にする。
【００２０】
いくつかの実施形態では、処理ユニット内のプロセスストリームの流量を制御し、プロセスストリームからエネルギーを回収するためのプロセスは、タービンを通る流れに対する抵抗を変化させるために、いくつか例を挙げると、可変ノズルタービン、入口可変ガイド翼、又は直接連結された可変電気負荷を使用してプロセスストリームの流量を制御するために、１つ以上の可変抵抗動力回収タービンを通るプロセスストリームの一部分を方向付けることを含む。
【００２１】
可変抵抗タービンの回転に対する抵抗は、タービン上で回転する磁石（複数可）からの磁界内にある外部可変負荷電気回路によって変化させることができる。より多くの負荷が回路上に置かれると、タービンの回転に対する抵抗がより高い。このことにより、タービン全体でより多くの圧力低下が与えられ、プロセスストリームの流れが遅くなる。デバイス内のアルゴリズムはまた、タービンＲＰＭ及び回路上の負荷を測定することによって、デバイスを通る実際の流れを計算することもできる。回転流に対する抵抗はまた、可変位置入口ガイド翼によって変化させることができる。いくつかの実施形態では、電力は、ガイド翼又は電力生成回路上の可変負荷のいずれかによって可能になる流れに対する可変抵抗を有する動力回収タービンを介して生成される。ガイド翼位置、電力出力及びＲＰＭを使用して実際の流れを計算するためのアルゴリズムを使用することができる。
【００２２】
タービンの遅い制御応答が問題である場合、タービンの使用は、遅い応答又は「緩い」制御ポイントアプリケーションに限定される。遅い応答のアプリケーションは、新しい（又は目標の）条件が元の（又は開始時の）条件と少なくとも１０％異なる場合、変化の半分が完了するために、少なくとも１秒、又はそれ以上、例えば１０秒、少なくとも１分、少なくとも１０分、又は１時間以上の、元の（又は開始時の）定常状態条件から新しい（又は目標）定常状態条件（例えば、温度、圧力、流量）の中間（つまり、５０％の差）に達する応答時間を有することが考えられる。
【００２３】
いくつかの実施形態では、電力グリッドは、プロセスサブステーションの内部の電力グリッド、プロセスサブステーションの外部の電力グリッド、又はその両方を含む。電力グリッドがプロセスサブステーションの内部にあるとき、ＤＣ／ＡＣインバータの出力は、プロセスサブステーションにおいて直接使用することができる。例えば、プロセスサブステーション内に１つ以上の交流電流バスが存在してもよい。あるいは、電力グリッドがプロセスサブステーションの外部にあるとき、プロセスサブステーションよりも高い電圧にある場合がある。この場合、プロセスサブステーションに変圧器が存在して、それがＤＣ／ＡＣインバータの出力を、プロセスサブステーションの外部の電力グリッドのより高い電圧に昇圧する。
【００２４】
いくつかの実施形態では、プロセスは、第２の制御弁を上に有する第２の流体ストリームを識別することと、第２の制御弁の位置に第２の動力回収タービンを設置することと、第２の流体ストリームの少なくとも一部分を第２の動力回収タービンを通して方向付けて、そこから直流電流として電力を生成することと、第１の動力回収タービンからの直流電流を、第２の動力回収タービン発電機からの直流電流と組み合わせることと、を更に含む。
【００２５】
いくつかの実施形態では、プロセスは、回収された直流電流を、プラント内の１つの機器に供給することを更に含む。
【００２６】
いくつかの実施形態では、プロセスは、複数の圧力低減デバイスから情報を受信することであって、複数の圧力低減デバイスが、第１の動力回収タービンと、第１の制御弁と、又は、両方とも、を備える、受信することと、圧力低減デバイスの各々に対する動力損失値又は動力生成値を決定することと、圧力低減デバイスの各々からの動力損失値又は動力生成値に基づいて、総動力損失値又は総動力生成値を決定することと、総動力損失値又は総動力生成値を少なくとも１つの表示画面上に表示することと、を更に含む。
【００２７】
いくつかの実施形態では、プロセスは、総動力損失値又は総動力生成値に基づいて、プロセスゾーン内の少なくとも１つのプロセスパラメータを調整することを更に含む。
【００２８】
いくつかの実施形態では、プロセスは、動力損失値又は動力生成値を少なくとも１つの表示画面上に表示することを更に含む。
【００２９】
いくつかの実施形態では、プロセスは、少なくとも１つのプロセスパラメータが調整された後に、圧力低減デバイスの各々について更新された動力損失値又は更新された動力生成値を決定することと、圧力低減デバイスの各々からの更新された動力損失値又は更新された動力生成値に基づいて、プロセスゾーンの更新された総動力損失値又は更新された総動力生成値を決定することと、更新された総動力損失値又は更新された総動力生成値を少なくとも１つの表示画面上に表示することと、を更に含む。
【００３０】
いくつかの実施形態では、プロセスは、プロセスゾーンの外側の条件に関連付けられた情報を受信することを更に含み、総動力損失値又は総動力生成値目標が、プロセスゾーンの外側の条件に関連付けられた情報に一部基づいて決定される。
【００３１】
いくつかの実施形態では、プロセスは、プロセスゾーンのスループットに関連付けられた情報を受信することを更に含み、総動力損失値又は総動力生成値が、プロセスゾーンのスループットに関連付けられた情報に一部基づいて決定される。
【００３２】
いくつかの実施形態では、プロセスは、総動力損失値又は総動力生成値に基づいて、プロセスゾーンの部分の少なくとも１つのプロセスパラメータを調節しながら、プロセスゾーンのスループットを維持することを更に含む。
【００３３】
いくつかの実施形態では、プロセスは、プロセスゾーンにおいて第１の制御弁を上に有する第１の流体ストリームを識別することと、第１の制御弁の位置に第１の動力回収タービンを設置することと、第１の流体ストリームの少なくとも一部分を第１の動力回収タービンを通して方向付けて、そこから交流電流として電力を生成することと、電力を回収することと、回収された電力を直流電流に整流し、電力を回収された交流電流に逆変換することと、回収された交流電流を第１のサブステーションに供給することと、を含む。
【００３４】
改造アプローチは、制御弁を通って流れる流体ストリームを含む任意のタイプのプロセスに適用することができる。追加の利点は、動力回収タービン発電機を出るより低いプロセス温度により、低減又は克服することができるボトルネックがあるプロセスにおいて得ることができる。適切なプロセスとしては、水素処理ゾーン、アルキル化ゾーン、分離ゾーン、異性化ゾーン、触媒改質ゾーン、流体触媒分解ゾーン、水素化ゾーン、脱水素ゾーン、オリゴマー化ゾーン、脱硫ゾーン、アルコールからオレフィンへのゾーン、アルコールからガソリンへのゾーン、抽出ゾーン、蒸留ゾーン、酸味水ストリッピングゾーン、液相吸着ゾーン、硫化水素還元ゾーン、アルキル化ゾーン、トランスアルキル化ゾーン、コーキングゾーン、及び重合ゾーン、が含まれるが、これらに限定されない。
【００３５】
図１は、改造プロセスを説明するために使用することができる既存の水素処理プロセス１００を示す。水素ストリーム１０５は、圧縮機１１０で圧縮される。圧縮された水素ストリーム１１５は、２つの部分、第１及び第２の水素ストリーム１２０及び１２５に分割される。第１の水素ストリーム１２０は、炭化水素供給ストリーム１３０と組み合わされ、熱交換器１３５を通じて送られて、温度を上昇させる。部分的に加熱された供給ストリーム１４０は、燃焼加熱器１４５に送られて、燃焼加熱器１４５を出る供給ストリーム１５０の温度を、水素処理反応ゾーン１５５の所望の入口温度まで上昇させる。
【００３６】
第２の水素ストリーム１２５は、４つの一部、水素急冷ストリーム２００、２０５、２１０、２１５に分割される。水素急冷ストリーム２００、２０５、２１０、２１５の各々は、水素処理床に入る水素の流れを制御するための関連する制御弁２２０、２２５、２３０、２３５を有する。
【００３７】
図示のように、水素処理反応ゾーン１５５は、５つの水素処理床１６０、１６５、１７０、１７５、及び１８０を有する。水素処理される水素及び炭化水素供給物を含有する加熱された供給ストリーム１５０は、第１の水素処理床１６０に入り、そこで水素処理を受ける。第１の水素処理床１６０からの流出液は、第１の水素急冷ストリーム２００と混合されて、第１の急冷された水素処理されたストリーム２４０を形成する。
【００３８】
第１の急冷された水素処理されたストリーム２４０は、第２の水素処理床１６５に送られ、そこで更なる水素処理を受ける。第２の水素処理床１６５からの流出液は、第２の水素急冷ストリーム２０５と混合されて、第２の急冷された水素処理されたストリーム２４５を形成する。
【００３９】
第２の急冷された水素処理されたストリーム２４５は、第３の水素処理床１７０に送られ、そこで更なる水素処理を受ける。第３の水素処理床１７０からの流出液は、第３の水素急冷ストリーム２１０と混合されて、第３の急冷された水素処理されたストリーム２５０を形成する。
【００４０】
第３の急冷された水素処理されたストリーム２５０は、第４の水素処理床１７５に送られ、そこで更なる水素処理を受ける。第４の水素処理床１７５からの流出液は、第４の水素急冷ストリーム２１５と混合されて、第４の急冷された水素処理されたストリーム２５５を形成する。
【００４１】
第４の急冷された水素処理されたストリーム２５５は、第５の水素処理床１８０に送られ、そこで更なる水素処理を受ける。第５の水素処理床１８０からの流出液２６０は、供給物との熱交換、塩分を溶解及び抽出するための水洗浄、蒸気液体分離、ストリッピング、第２の段階の水素処理、蒸留、及び多くの組み合わせでのアミン処理などの、様々な処理ゾーンに送ることができる。
【００４２】
図２は、修正されたプロセス２７５の一実施形態を示す。水素ストリーム１０５は、圧縮機１１０で圧縮される。圧縮された水素ストリーム１１５は、２つの部分、第１及び第２の水素ストリーム１２０及び１２５に分割される。第１の水素ストリーム１２０は、炭化水素供給ストリーム１３０と組み合わされ、熱交換器１３５を通じて送られて、温度を上昇させる。部分的に加熱された供給ストリーム１４０は、燃焼加熱器１４５に送られて、燃焼加熱器１４５を出る供給ストリーム１５０の温度を、水素処理反応ゾーン１５５の所望の入口温度まで上昇させる。
【００４３】
第２の水素ストリーム１２５は、動力を生成し、第２の水素ストリーム１２５の圧力を低下させる動力回収タービン１９０に送られる。減圧水素ストリーム１９５は、４つの一部、水素急冷ストリーム２００、２０５、２１０、２１５に分割される。水素急冷ストリーム２００、２０５、２１０、２１５の各々は、水素処理床に入る水素の流れを制御するための関連する制御弁２２０、２２５、２３０、２３５を有する。
【００４４】
水素処理される水素及び炭化水素供給物を含有する供給ストリーム１５０は、第１の水素処理床１６０に入り、そこで水素処理を受ける。第１の水素処理床１６０からの流出液は、第１の水素急冷ストリーム２００と混合されて、第１の急冷された水素処理されたストリーム２４０を形成する。
【００４５】
第１の急冷された水素処理されたストリーム２４０は、第２の水素処理床１６５に送られ、そこで更なる水素処理を受ける。第２の水素処理床１６５からの流出液は、第２の水素急冷ストリーム２０５と混合されて、第２の急冷された水素処理されたストリーム２４５を形成する。
【００４６】
第２の急冷された水素処理されたストリーム２４５は、第３の水素処理床１７０に送られ、そこで更なる水素処理を受ける。第３の水素処理床１７０からの流出液は、第３の水素急冷ストリーム２１０と混合されて、第３の急冷された水素処理されたストリーム２５０を形成する。
【００４７】
第３の急冷された水素処理されたストリーム２５０は、第４の水素処理床１７５に送られ、そこで更なる水素処理を受ける。第４の水素処理床１７５からの流出液は、第４の水素急冷ストリーム２１５と混合されて、第４の急冷された水素処理されたストリーム２５５を形成する。
【００４８】
第４の急冷された水素処理されたストリーム２５５は、第５の水素処理床１８０に送られ、そこで更なる水素処理を受ける。第５の水素処理床１８０からの流出液２６０は、供給物との熱交換、塩分を溶解及び抽出するための水洗浄、蒸気液体分離、ストリッピング、第２の段階の水素処理、蒸留、及び多くの組み合わせでのアミン処理などの、様々な処理ゾーンに送ることができる。
【００４９】
図３は、修正されたプロセス３００の別の実施形態を示す。水素ストリーム３０５は、圧縮機３１０で圧縮される。圧縮された水素ストリーム３１５は、第１及び第２の部分、水素ストリーム３２０及び３２５に分割される。第１の水素ストリーム３２０は、炭化水素供給ストリーム３３０と混合され、熱交換器３３５を通じて送られて、温度を上昇させる。部分的に加熱された供給ストリーム３４０は、燃焼加熱器３４５に送られて、燃焼加熱器３４５を出る供給ストリーム３５０の温度を、水素処理反応ゾーン３５５の所望の入口温度まで上昇させる。
【００５０】
第２の水素ストリーム３２５は、４つの水素急冷ストリーム３９０、３９５、４００、４０５に分割される。水素急冷ストリーム３９０、３９５、４００、４０５の各々は、動力を生成し、水素処理床に入る水素の流れを制御するための動力回収タービン４１０、４１５、４２０、４２５、並びに、水素処理床に入る水素の流れを制御するための制御弁４３０、４３５、４４０、４４５を有する。
【００５１】
水素急冷ストリーム３９０、３９５、４００、４０５は、動力回収タービン４１０、４１５、４２０、４２５、制御弁４３０、４３５、４４０、４４５のいずれか、又はその両方を通って方向付けられ得る。例えば、第１の水素急冷ストリーム３９０の第１の分画を、動力回収タービン４１０に向けることができ、第２の分画を、制御弁４３０に向けることができる。第１の分画は、０％から１００％まで変化し得、第２の分画は、１００％から０％まで変化し得る。したがって、水素急冷ストリーム３９０、３９５、４００、４０５の流れは、動力回収タービン４１０、４１５、４２０、４２５、制御弁４３０、４３５、４４０、４４５、又はその両方によって制御され得、両方を含むシステムにおける優れたプロセスの柔軟性を可能にする。
【００５２】
水素処理反応ゾーン３５５は、５つの水素処理床３６０、３６５、３７０、３７５、及び３８０を有する。水素処理される水素及び炭化水素供給物を含有する供給ストリーム３５０は、第１の水素処理床３６０に入り、そこで水素処理を受ける。第１の水素処理床３６０からの流出液は、第１の水素急冷ストリーム３９０と混合されて、第１の急冷された水素処理されたストリーム４５０を形成する。
【００５３】
第１の急冷された水素処理されたストリーム４５０は、第２の水素処理床３６５に送られ、そこで更なる水素処理を受ける。第２の水素処理床３６５からの流出液は、第２の水素急冷ストリーム３９５と混合されて、第２の急冷された水素処理されたストリーム４５５を形成する。
【００５４】
第２の急冷された水素処理されたストリーム４５５は、第３の水素処理床３７０に送られ、そこで更なる水素処理を受ける。第３の水素処理床３７０からの流出液は、第３の水素急冷ストリーム４００と混合されて、第３の急冷された水素処理されたストリーム４６０を形成する。
【００５５】
第３の急冷された水素処理されたストリーム４６０は、第４の水素処理床３７５に送られ、そこで更なる水素処理を受ける。第４の水素処理床３７５からの流出液は、第４の水素急冷ストリーム４０５と混合されて、第４の水素処理された水素処理されたストリーム４６５を形成する。
【００５６】
第４の水素処理された水素処理されたストリーム４６５は、第５の水素処理床３８０に送られ、そこで更なる水素処理を受ける。第５の水素処理床３８０からの流出液４７０は、上述のように、様々な処理ゾーンに送ることができる。
【００５７】
動力回収タービンの設置は、典型的には、タービン機能不全の場合の緊急制御オプションとして、又はタービンの流量制御を支援するためのいずれかとして、制御弁の追加を必要とすることに留意されたい。既存のユニットの修正の本発明の場合、全ての制御弁を設置するコストは、元のプロジェクトで償却されており、そのため、改造にタービンを追加することは、新しいユニット構造にそのコストを含めることに対して必要な制御弁の資本コストを回避する。
【００５８】
本発明のデバイス及びプロセスは、石油、石油化学、又は化学プロセスゾーンで利用されるものとして企図されている。既知のように、このような石油、石油化学、又は化学プロセスゾーンは、典型的には制御センター内のコンピュータ上のプロセス制御システムを利用する。
【００５９】
本明細書に開示される実施形態に関連して説明されるプロセス制御システムは、汎用プロセッサ、デジタル信号プロセッサ（digital signal processor、ＤＳＰ）、特定用途向け集積回路（application specific integrated circuit、ＡＳＩＣ）、フィールドプログラマブルゲートアレイ（field programmable gate array、ＦＰＧＡ）又は他のプログラム可能な論理デバイス、ディスクリートゲート若しくはトランジスタ論理、ディスクリートハードウェア構成要素、又は本明細書に記載されている機能を実行するように設計されたそれらの任意の組み合わせ、を備えたコンピュータ上で実装又は実行され得る。汎用プロセッサは、マイクロプロセッサであってもよく、又はプロセッサは、任意の従来のプロセッサ、コントローラ、マイクロコントローラ、又はステートマシンであってもよい。プロセッサはまた、コンピューティングデバイスの組み合わせであってもよく、例えば、ＤＳＰとマイクロプロセッサとの組み合わせ、２つ以上のマイクロプロセッサ、又は前述の任意の他の組み合わせであってもよい。
【００６０】
プロセス制御システムに関連付けられたプロセスのステップは、ハードウェアに直接含まれるアルゴリズム、プロセッサによって実行されるソフトウェアモジュール、又は２つの組み合わせで具現化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において既知の任意の他の形態の記憶媒体内に存在してもよい。例示的な記憶媒体は、プロセッサが記憶媒体から情報を読み取り、記憶媒体に情報を書き込むように、プロセッサと通信している。これは、記憶媒体が、プロセッサと一体であるか、又はプロセッサに備わることを含む。プロセッサ及び記憶媒体は、ＡＳＩＣ内に存在してもよい。ＡＳＩＣは、ユーザ端末に存在してもよい。あるいは、プロセッサ及び記憶媒体は、ユーザ端末内の個別の構成要素として存在してもよい。これらのデバイスは、単に、コンピュータ可読記憶媒体の例示的な非限定的な例であることを意図するものである。プロセッサ及び記憶媒体又はメモリはまた、典型的には、入力チャネル、制御論理のプロセッサ、制御システム内の出力チャネル、及び制御センター内のオペレータステーションの間のような、異なる構成要素、コンピュータプロセッサ、などの間の有線又は無線通信を可能にするハードウェア（例えば、ポート、インターフェース、アンテナ、増幅器、信号プロセッサなど）と通信している。
【００６１】
コンピュータ及びプロセッサと通信しているとは、情報又はデータを送受信する能力を指す。データ又は情報の送信は、無線送信（例えば、Ｗｉ−Ｆｉ又はＢｌｕｅｔｏｏｔｈによる）又は有線送信（例えば、イーサネットＲＪ４５ケーブル又はＵＳＢケーブルを使用する）であり得る。無線送信の場合、無線送受信機（例えば、Ｗｉ−Ｆｉ送受信機）は、各プロセッサ又はコンピュータと通信している。送信は、コンピュータの要求時に、コンピュータからの要求に応じて、又は他の方法で自動的に実行することができる。データは、任意の組み合わせで、プッシュ、プル、フェッチなどされ得、又は任意の他の様態で送信及び受信することができる。
【００６２】
したがって、本発明によれば、プロセス制御システムは、動力回収タービン４１０、４１５、４２０、４２５によって生成された電気の量に関連して、動力回収タービン４１０、４１５、４２０、４２５からの情報を受信することが企図されている。動力回収タービン４１０、４１５、４２０、４２５は、生成された電気の量を（プロセッサを介して）決定することが企図されている。あるいは、情報を受信するプロセス制御システムは、動力回収タービン４１０、４１５、４２０、４２５によって生成された電気の量を決定する。いずれの構成においても、動力回収タービン４１０、４１５、４２０、４２５によって生成された電気の量は、制御センター内のコンピュータと関連付けられた少なくとも１つの表示画面上に表示される。石油、石油化学、又は化学プロセスゾーンが複数の動力回収タービン４１０、４１５、４２０、４２５を備える場合、プロセス制御システムは、動力回収タービン４１０、４１５、４２０、４２５の各々によって生成された電気の量に関連付けられた情報を受信することが更に企図されている。プロセス制御システムは、動力回収タービン４１０、４１５、４２０、４２５の各々に関連付けられた情報に基づいて生成された総電力を決定し、表示画面上に生成された総電力を表示する。生成された総電力は、個々の動力回収タービン４１０、４１５、４２０、４２５によって生成された電力の量の代わりに、又はそれと併せて表示されてもよい。
【００６３】
上述のように、動力回収タービン４１０、４１５、４２０、４２５によって回収される電気エネルギーは、多くの場合、石油、石油化学、又は化学プロセスゾーン内のストリームに加えられたストリームからのエネルギーを除去する結果である。このため、本発明によるプロセスは、ストリーム（複数可）に加えられるエネルギーを低下させるために調整される石油、石油化学、又は化学プロセスゾーンに関連付けられた様々な処理条件を提供することが企図されている。各タービン付近に設置された並列制御弁は、関連する制御弁からの流れを減らして、タービンからのより高いエネルギー回収を有する同じ流れを維持しながら、より多くの動力を回収するために各タービンを調整することによってまずバランスをとることができる。
【００６４】
プロセス制御システムは、石油、石油化学、又は化学プロセスゾーンのスループットに関連付けられた情報を受け取り、電気が、典型的には石油、石油化学、又は化学プロセスゾーン全体に加えられるエネルギーを表すため、タービン（複数可）の目標電力生成値を決定することが企図される。目標電力生成値の決定は、電気が所定のレベル又はその付近にあるときに行われてもよい。換言すれば、生成された電気の量が所定のレベルを満たすか又は超える場合、プロセス制御システムは、１つ以上の処理条件を決定して、目標電力生成値に到達するまで生成される電気の量を調整し低下させることができる。
【００６５】
このため、プロセス制御システムは、石油、石油化学、又は化学プロセスゾーンに関連受けられた様々な処理条件に対する１つ以上の変化を分析して、石油、石油化学、又は化学プロセスゾーンのタービンによって回収されるエネルギーの量を低下させる。好ましくは、処理条件は、石油、石油化学、又は化学プロセスゾーンのスループットを調整することなく調整される。これにより、石油、石油化学、又は化学プロセスゾーンが同じスループットを有するが、同じスループットに関連付けられたより低い運転コストを有することが可能になる。プロセス制御ソフトウェアは、目標電力生成値と生成された総電力との間の差を計算し、表示画面上に表示し得る。
【００６６】
例えば、プロセス制御ソフトウェアは、生成された総電力が所定のレベルを超えていることを認識し得る。したがって、プロセス制御ソフトウェアは、目標電力生成値を決定し得る。石油、石油化学、又は化学プロセスゾーンに通常関連付けられた他のセンサ及びデータ収集デバイスから受信した他のデータ及び情報に基づいて、プロセス制御ソフトウェアは、ひとつの機器で消費される燃料の量を低下させることができると決定し得る。石油、石油化学、又は化学プロセスゾーンのスループットを維持しながら、ひとつの機器で消費される燃料の量を低下させる。これは、タービンによって生成される電気を低下し得る一方で、より低い燃料消費は、同じスループットに対してより低い運転コストを提供する。
【００６７】
したがって、本発明は、典型的に失われるエネルギーを、石油、石油化学、又は化学プロセスゾーンの他の場所で使用される形態に変換するだけでなく、石油、石油化学、又は化学プロセスゾーンには、石油、石油化学、又は化学プロセスゾーン全体に関連付けられたエネルギー投入量を減らし、よりエネルギー効率の高いプロセスを利用することによって利益を高める機会が提供される。
【００６８】
例えば、弁、ポンプ、フィルタ、冷却器などの様々な他の構成要素は、その詳細は十分に当業者の知識の範囲内であり、その説明は、本発明の実施形態を実践又は理解するために必要ではないと考えられるため、図面には示されていないことを、当業者は認識し、理解すべきである。
【００６９】
前述の本発明の詳細な説明で、少なくとも１つの例示の実施形態が提示されてきたが、膨大な数の変更例が存在することを理解されたい。例示的な実施形態又は複数の例示的な実施形態は、あくまで例であり、いかなるようにも本発明の範囲、適用性、又は構成を制限することを意図しないこともまた理解されたい。むしろ、前述の詳細な説明は、当業者らに本発明の例示の実施形態を実装するのに簡便なロードマップを提供するだろう。添付の特許請求の範囲に記載される本発明の範囲から逸脱することなく、例示の実施形態に説明された要素の機能及び構成に様々な変更を加えることができるものと理解される。
【００７０】
特定の実施形態
以下を特定の実施形態と併せて説明するが、この説明は、前述の説明及び添付の特許請求の範囲を例示するものであり、限定するものではないことが理解されるであろう。
【００７１】
本発明の第１の実施形態は、石油、石油化学、又は化学プラントにおいてエネルギーを回収するためのプロセスであって、プロセスゾーンにおいて第１の制御弁を上に有する第１の流体ストリームを識別することと、第１の制御弁の位置に第１の動力回収タービンを設置することと、第１の流体ストリームの少なくとも一部分を第１の動力回収タービンを通して方向付けて、そこから電力を生成することと、電力を回収することと、を含む、プロセス。本発明のある実施形態は、本項の先の実施形態から本項の第１の実施形態までのうちの１つ、いずれか、又は全てであり、第１の動力回収タービンは、第１の制御弁と並列に設置される。本発明のある実施形態は、本項の先の実施形態から本項の第１の実施形態までのうちの１つ、いずれか、又は全てであり、第１の動力回収タービンは、第１の制御弁と直列に設置される。本発明のある実施形態は、本項の先の実施形態から本項の第１の実施形態までのうちの１つ、いずれか、又は全てであり、第１の動力回収タービンは、第１の制御弁に取って代わる。本発明のある実施形態は、本項の先の実施形態から本項の第１の実施形態までのうちの１つ、いずれか、又は全てであり、第１の制御弁は、通常動作においてプロセスから分離されている。本発明のある実施形態は、本項の先の実施形態から本項の第１の実施形態までのうちの１つ、いずれか、又は全てであり、動力回収タービンは、漏れ及び漏えい排出を起こしやすい活性グランドがない状態で封止されている。本発明のある実施形態は、本項の先の実施形態から本項の第１の実施形態までのうちの１つ、いずれか、又は全てであり、動力回収タービンは、漏れ及び漏えい排出を起こしやすい活性グランドがない状態で封止されている。本発明のある実施形態は、本項の先の実施形態から本項の第１の実施形態までのうちの１つ、いずれか、又は全てであり、第１の動力回収タービンの設置は、制御弁のみを有する第１の流体ストリームと比較して、第１の流体ストリームのより低い温度をもたらし、かつ、より低い温度は、動力回収タービン発電機なしでの動作と比較して、プラントの一部分の冷却を増加させることによってプラントスループットのボトルネックを解消する。本発明のある実施形態は、本項の先の実施形態から本項の第１の実施形態までのうちの１つ、いずれか、又は全てであり、プラントの一部分は反応ゾーン内にある。本発明のある実施形態は、本項の先の実施形態から本項の第１の実施形態までのうちの１つ、いずれか、又は全てであり、回収された電力を直流電流に整流し、直流電流を回収された交流電流に逆変換することと、回収された交流電流を第１のサブステーションに供給することと、を更に含む。本発明のある実施形態は、本項の先の実施形態から本項の第１の実施形態までのうちの１つ、いずれか、又は全てであり、第２の制御弁を上に有する第２の流体ストリームを識別することと、第２の制御弁の位置に第２の動力回収タービンを設置することと、第２の流体ストリームの少なくとも一部分を第２の動力回収タービンを通して方向付けて、そこから直流電流として電力を生成することと、第１の動力回収タービンからの直流電流を、第２の動力回収タービン発電機からの直流電流と組み合わせることと、を更に含む。本発明のある実施形態は、本項の先の実施形態から本項の第１の実施形態までのうちの１つ、いずれか、又は全てであり、回収された直流電流を、プラント内のひとつの機器に供給することを更に含む。本発明のある実施形態は、本項の先の実施形態から本項の第１の実施形態までのうちの１つ、いずれか、又は全てであり、複数の圧力低減デバイスから情報を受信することであって、複数の圧力低減デバイスは、第１の動力回収タービン、第１の制御弁、又はその両方を備える、受信することと、圧力低減デバイスの各々に対する動力損失値又は動力生成値を決定することと、圧力低減デバイスの各々からの動力損失値又は動力生成値に基づいて、総動力損失値又は総動力生成値を決定することと、総動力損失値又は総動力生成値を少なくとも１つの表示画面上に表示することと、を更に含む。本発明のある実施形態は、本項の先の実施形態から本項の第１の実施形態までのうちの１つ、いずれか、又は全てであり、総動力損失値又は総動力生成値に基づいて、プロセスゾーン内の少なくとも１つのプロセスパラメータを調整することを更に含む。本発明のある実施形態は、本項の先の実施形態から本項の第１の実施形態までのうちの１つ、いずれか、又は全てであり、動力損失値又は動力生成値を少なくとも１つの表示画面上に表示することを更に含む。本発明のある実施形態は、本項の先の実施形態から本項の第１の実施形態までのうちの１つ、いずれか、又は全てであり、少なくとも１つのプロセスパラメータが調整された後に、圧力低減デバイスの各々について更新された動力損失値又は更新された動力生成値を決定することと、圧力低減デバイスの各々からの更新された動力損失値又は更新された動力生成値に基づいて、プロセスゾーンの更新された総動力損失値又は更新された総動力生成値を決定することと、更新された総動力損失値又は更新された総動力生成値を少なくとも１つの表示画面上に表示することと、を更に含む。本発明のある実施形態は、本項の先の実施形態から本項の第１の実施形態までのうちの１つ、いずれか、又は全てであり、プロセスゾーンの外側の条件に関連付けられた情報を受信することを更に含み、総動力損失値又は総動力生成値は、プロセスゾーンの外側の条件に関連付けられた情報に一部基づいて決定される。本発明のある実施形態は、本項の先の実施形態から本項の第１の実施形態までのうちの１つ、いずれか、又は全てであり、プロセスゾーンのスループットに関連付けられた情報を受信することを更に含み、総動力損失値又は総動力生成値は、プロセスゾーンのスループットに関連付けられた情報に一部基づいて決定される。本発明のある実施形態は、本項の先の実施形態から本項の第１の実施形態までのうちの１つ、いずれか、又は全てであり、総動力損失値又は総動力生成値に基づいて、プロセスゾーンの部分の少なくとも１つのプロセスパラメータを調節しながら、プロセスゾーンのスループットを維持することを更に含む。
【００７２】
本発明の第２の実施形態は、石油、石油化学、又は化学プラントにおいてエネルギーを回収するためのプロセスであって、プロセスゾーンにおいて第１の制御弁を上に有する第１の流体ストリームを識別することと、第１の制御弁の位置に第１の動力回収タービンを設置することと、第１の流体ストリームの少なくとも一部分を第１の動力回収タービンを通して方向付けて、そこから交流電流として電力を生成することと、電力を回収することと、回収された電力を直流電流に整流し、直流電流を回収された交流電流に逆変換することと、回収された交流電流を第１のサブステーションに供給することと、を含む。
【００７３】
更に説明することなく、前述の説明を用いて、当業者が、本発明の趣旨及び範囲から逸脱することなく本発明を最大限に利用し、本発明の本質的な特性を容易に確認でき、本発明の様々な変更及び修正を行い、様々な使用及び条件に適合させることができると考えられる。したがって、先行する好ましい特定の実施形態は、単なる例示として解釈されるべきであり、いかなるようにも本開示の残りを限定するものではなく、添付の特許請求の範囲内に含まれる様々な修正及び同等の構成を網羅することを意図するものである。
【００７４】
上記では、全ての温度は摂氏度で記載され、全ての部及び百分率は、別途記載のない限り、重量基準である。
【図１】
2021516741.tif 000003
【図２】
2021516741.tif 000004
【図３】
2021516741.tif 000005
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
石油、石油化学、又は化学プラントにおいてエネルギーを回収するためのプロセスであって、
プロセスゾーンにおいて第１の制御弁（４３０）を上に有する第１の流体ストリームを識別することと、
前記第１の制御弁（４３０）の位置に第１の動力回収タービン（４１０）を設置することと、
前記第１の流体ストリームの少なくとも一部分を前記第１の動力回収タービン（４１０）を通して方向付けて、そこから電力を生成することと、
前記電力を回収することと、を含む、プロセス。
【請求項２】
前記第１の動力回収タービン（４１０）が、前記第１の制御弁（４３０）と並列に、又は第１の制御弁（２２０）と直列に設置されている、請求項１に記載のプロセス。
【請求項３】
前記第１の動力回収タービン（４１０）の設置が、前記制御弁（４３０）のみを有する前記第１の流体ストリームと比較して、前記第１の流体ストリームのより低い温度をもたらし、
前記より低い温度が、前記動力回収タービン発電機なしでの動作と比較して、前記プラントの一部分の冷却を増加させることによって前記プラントスループットのボトルネックを解消する、請求項１〜２のいずれか一項に記載のプロセス。
【国際調査報告】
2021516741.tif 000006